(57)【特許請求の範囲】
【請求項１】
光ディスクに記録された情報を再生する再生手段を備えた光ディスク再生装置において、
光ディスク再生装置の本体の前面上部に設けられ、上面に光ディスクを挿入する挿入口を有し、かつ２つのドアシャフトが設けられた光ディスク挿入手段と、本体内に設けられ、かつ２つのシャーシ溝が形成されたシャーシと、該シャーシに上下方向摺動自在とされて設けられ、かつ２つのカム溝が形成されたスライドカムとを備え、
前記２つのドアシャフトの一方は前記２つのシャーシ溝の一方および前記２つのカム溝の一方の双方に係合し、前記２つのドアシャフトの他方は前記２つのシャーシ溝の他方および前記２つのカム溝の他方の双方に係合し、
前記スライドカムが上下方向の一方に摺動すると、前記光ディスク挿入手段は、前記一方および他方のドアシャフトがそれぞれ係合するシャーシ溝およびカム溝を案内されることによって本体の前方向に移動され、更に前記一方のドアシャフト、一方のカム溝で案内を停止され、他方のドアシャフトが他方のシャーシ溝および他方のカム溝を案内されることによって本体前方に設定される仮想回転軸を中心として前方に回動すること
を特徴とする光ディスク再生装置。
【請求項２】
請求項１において、前記一方のカム溝はストレート部を備え、前記一方のドアシャフトは当該ストレート部で案内が停止されることを特徴とする光ディスク再生装置。
【請求項３】
光ディスクに記録された情報を再生する再生手段を備えた光ディスク再生装置において、
本体と、
前記本体の前面に位置し、上面に光ディスクが挿入される挿入口を有する光ディスク挿入手段と、
前記光ディスク挿入手段に挿入された光ディスクを支持し前記再生手段へ光ディスクを搬送する搬送手段と、
前記本体の前面に対して上下方向にスライドして、前記光ディスク挿入手段と前記搬送手段とを前記本体の前面方向に移動させ、および前記光ディスク挿入手段と前記搬送手段とを本体前方に設定される仮想回転軸を中心として前方に回動させて前記光ディスクが挿入される挿入口を本体外に位置せしめる回動を行うスライドカムと、
を有することを特徴とする光ディスク再生装置。
【請求項４】
請求項３において、前記光ディスク挿入手段は前記本体の前面に対して平行に設けられた第１及び第２のシャフトを有し、
前記スライドカムは、第１の傾き部分を有し前記第１のシャフトが係合される第1のカム溝と、前記第１の傾き部分よりも短い第２の傾き部分およびストレート部分を有し前記第２のシャフトが係合される第２のカム溝と、を有していて、
使用時、第１のシャフトの前記第１のカム溝に沿ったスライド及び前記第２のシャフトの前記第２のカム溝に沿ったスライドに基づく前記スライドカムの上下方向のスライドが、光ディスク挿入手段及び搬送手段を前記本体の前面方向に移動させ、および前記光ディスクの挿入手段および前記搬送手段とを本体前方に設定される仮想回転軸を中心として前方に回動させて前記光ディスクが挿入される挿入口を前記本体外に位置せしめること
を特徴とする光ディスク再生装置。
【請求項５】
光ディスクに記録された情報を再生する再生手段を備え、光ディスク再生装置の本体の前面上部に設けられ、上面に光ディスクを挿入する挿入口を有し、かつ２つのドアシャフトが設けられた光ディスク挿入手段と、本体内に設けられ、かつ２つのシャーシ溝が形成されたシャーシと、該シャーシに上下方向摺動自在とされて設けられ、かつ２つのカム溝が形成され、その一方のカム溝にストレート部が形成されたスライドカムとを備え、前記２つのドアシャフトの一方は前記２つのシャーシ溝の一方および前記２つのカム溝の一方の双方に係合し、前記２つのドアシャフトの他方は前記２つのシャーシ溝の他方および前記２つのカム溝の他方の双方に係合するようにされた光ディスク再生装置による光ディスク再生方法において、
前記スライドカムを上下方向の一方に摺動させて、前記光ディスク挿入手段を、前記一方および他方のドアシャフトをそれぞれ係合するシャーシ溝およびカム溝を案内されることによって本体の前方向に移動させるステップと、更に前記一方のドアシャフトを一方のカム溝で案内を停止させ、他方のドアシャフトを他方のシャーシ溝および他方のカム溝を案内させることによって本体前方に設定される仮想回転軸を中心として前方に回動させるステップとで構成する光ディスク挿入手段の開閉方法を備えたこと
を特徴とする光ディスク再生方法。
【請求項６】
請求項５において、前記光ディスク挿入手段開閉方法は、前記一方のカム溝にストレート部を形成し、前記一方のドアシャフトを当該ストレート部で停止させることを特徴とする光ディスク再生方法。
【請求項７】
本体と、光ディスクに記録された情報を再生する再生手段と、前記本体の前面に位置し、上面に光ディスクが挿入される挿入口を有する光ディスク挿入手段と、前記光ディスク挿入手段に挿入された光ディスクを支持し前記再生手段へ光ディスクを搬送する搬送手段と、前記光ディスク挿入手段と前記搬送手段とを、前記本体の前面方向に移動させ、および前記光ディスクが挿入される挿入口を本体外に位置せしめる回動を行うスライドカムとを備えた光ディスク再生装置の再生方法において、
前記スライドカムの前記本体の前面に対する上下方向のスライドにより、前記光ディスク挿入手段および前記搬送手段を本体前方に設定される仮想回転軸を中心として前方に回動させて前記挿入口の開口を行うことを特徴とする光ディスク再生装置の再生方法。
【発明の詳細な説明】
【０００１】
【発明の属する技術分野】
本発明は、光ディスク再生装置および再生方法に関する。
【０００２】
【従来の技術】
昨今、コンパクトディスク（Compact Disc）及びＤＶＤ（Digital Versatile Disc）等の光ディスクを再生する光ディスク再生装置は、薄型化，省スペース化，インテリア性の要望から光ディスクの記録面が光ディスク再生装置の設置面に対して垂直に位置するように光ディスクをクランプして再生を行う縦置き型の（縦型ディスク）再生装置が人気を博している。
【０００３】
そして、従来の縦型ディスク再生装置について、装置本体の上面に挿入口を設け、真上からディスクを挿入し、再生位置までローディングする装置，方法が知られている。
【０００４】
このような光ディスク再生装置には、上面に光ディスクを挿入する挿入口が設けられ、この挿入口から光ディスクを挿入し、挿入口から挿入された光ディスクは、ディスクホルダーに支持し、ディスクローディング手段によりターンテーブルの位置まで搬送し、ターンテーブルにチャッキングすることを行っている。
【０００５】
縦置き型の光ディスク再生装置の中でも、壁にも掛けられるタイプとして、光ディスクの記録面を壁面に水平に位置させるようなものも提案されている。
【０００６】
また、特開平５−１８９８４６号公報には、装置前面に開閉するカセット蓋を備え、このカセット蓋が軸１１ａを回転軸として装置前面方向に開くことによりカセットを挿入するタイプのカセットテープレコーダが開示されている。
【０００７】
【発明が解決しようとする課題】
上面に光ディスクを挿入する挿入口を備えた光ディスク再生装置では、壁の高い位置に掛けた場合、挿入口が見えないので、光ディスクを挿入または取り出す際に、光ディスクの記録面を挿入口の壁に接触させてしまい、記録面を傷つけてしまうという問題がある。また、装置上面に挿入口があるため、挿入口から塵芥が入り込み、装置の故障の原因となるおそれがある。
【０００８】
カセットテープレコーダにおけるカセット蓋を開口する方法，構造にあっては、カセット蓋が本体前面に開口する。そして、カセットテープ挿入時は、カセットテープをこの開口部から挿入し、カセット蓋裏側に設けられたカセットテープ支持部材に支持される位置まで滑り落とす。カセットテープ取り出し時は、カセットテープ支持部材により支持されたカセットテープの両側面を使用者の親指と人指し指でつまみ、カセットテープを取り出す。
【０００９】
これに対して、光ディスク再生装置に上記カセットテープレコーダの機構を採用した場合にあっては、光ディスク支持部材に光ディスクを挿入する際、または、光ディスク支持部材から光ディスクを取り出す際、光ディスクを掴む操作者の指及び手の甲が開口部に入るよう、蓋部の開口角度θを大きくすると、開口部から塵芥が装置内に入りやすくなり、故障の原因となる。また、使用者は、光ディスクを取り出した際に、光ディスクの記録面側から光ディスクを掴まなくてはならないため、誤って光ディスクの記録面に指が触れ、記録面に指紋や傷を付けてしまう虞がある。
【００１０】
本発明は、このような課題を解決するためになされ、光ディスクの記録面に傷をつけにくく、光ディスクを装置に挿入しやすく、装置の薄型化を実現でき、さらに光ディスクの挿入及び排出を容易にすることができるようにしてユーザに対する購買意欲を高める光ディスク再生装置および再生方法を提供することにある。
【００１１】
【課題を解決するための手段】
上記課題を解決するために、本発明の第１の光ディスク再生装置は、光ディスクに記録された情報を再生する再生手段と、光ディスク再生装置の本体に前面上部に位置し上面に光ディスクを挿入する挿入口を有し前後方向に開閉する光ディスク挿入手段と、前記光ディスク挿入手段に挿入された光ディスクを支持し前記再生手段へ光ディスクを搬送する搬送手段とを備え、光ディスクを挿入するときまたは光ディスクを排出するときに前記光ディスク挿入手段及び前記光ディスク搬送手段を前記本体前方に回動させると共に前記光ディスク搬送手段を前記本体の上方向へ移動させる手段を備えたことを特徴とする光ディスク再生装置として構成される。前述の回動のときに、前記光ディスク搬送手段の下方部と本体内のシャーシとの間に設けた連結手段の連結点よりも本体前方に設定される仮想回転軸を中心として回動するようにされる。
【００１２】
また、本発明の他の光ディスク再生装置は、光ディスクに記録された情報を再生する再生手段と、光ディスク再生装置の本体に前面上部に位置し上面に光ディスクを挿入する挿入口を有し前後方向に開閉する光ディスク挿入手段と、前記光ディスク挿入手段に挿入された光ディスクを支持し前記再生手段へ光ディスクを搬送する搬送手段とを備え、光ディスクを挿入するときまたは光ディスクを排出するときに前記光ディスク挿入手段及び前記光ディスク搬送手段を前記本体前方に移動させ、その後、前記光ディスク挿入手段を前記本体前方に回動させると共に前記光ディスク搬送手段を前記本体の上方向へ移動させる手段を備えたことを特徴とする光ディスク再生装置として構成される。
【００１３】
【発明の実施の形態】
以下、本発明の実施例を図面に基づいて説明する。
図１は、本発明のローディング機構を示す正面図で、光ディスク３が装置の上方向から挿入口を含むディスク挿入手段によって挿入されて再生位置まで搬送された状態を示している。図１において、本体１は光ディスク３を挿入口から光ディスク３を再生する光ピックアップ、ターンテーブル，スピンドルモータ等を備えたディスク再生手段５まで搬送するディスクホルダー６であるディスク搬送手段と、これを駆動するホルダー駆動手段４を備えており、ホルダー駆動手段４の駆動力で、ディスクホルダー６はディスク挿入位置（図１の上部）とディスク再生位置（図１の下部）の間を上下方向に移動する構成になっている。
【００１４】
図２は、本発明の移動手段と回動手段の駆動系の概略配置を示す本体１の裏面図で、モータ７の回転をベルト８，プーリギヤ９、及びギヤ１０を介し、カムギヤ１１に伝達する構成になっている。モータ７が回転することによりカムギヤ１１が回転する。
【００１５】
一方、本体１内のシャーシ２に固定されているガイドピン１５，１６に係合するスライドプレート１２が摺動自在に取り付けられている。また、スライドプレート１２に固定されているスライドプレートシャフト１２ａは、前記カムギヤ１１のカム溝１１ａに係合しており、カムギヤ１１の回転によってスライドプレート１２はガイドピン１５，１６に沿って上下方向にスライドするようにしてある。
【００１６】
また、シャーシ２の両側面には上下方向摺動自在にスライドカム１８が取り付けてあり、前記スライドプレート１２の両端部１２ｂ，１２ｃが、前記スライドカム１８の溝部２８ａ，２８ｂにそれぞれ係合し、前記スライドプレート１２が上下方向に移動すると、スライドカム１８も上下方向に移動する構成になっている。スライドカム１８の上下方向の移動に対応してディスクホルダー６は、図１のＡの位置とＢの位置の間を上下方向に移動する。またディスクホルダー６は、後述するドア１９の前面と常に平行な位置を保って上下移動するようになっている。
【００１７】
図３は、スライドカム１８の上下方向移動によってディスクホルダー６を備えたドア１９である光ディスク蓋が装置の前方向に移動・回動する動作を示した側面図で、図３（ａ）はスライドカム１８が上下移動の最下位に有る。この状態ではディスクホルダーは図１のＡの位置にあり、光ディスク３はディスク再生手段５により再生される位置にある（ホルダー駆動手段４は回転しない）。前記ドア１９は装置本体１の中に閉じた状態である。この状態では図３（ａ）に示すようにドア１９の前面位置と本体１の前面位置は一致している。次に図３（ｂ）に示すようにスライドカム１８が上下方向，略中央まで移動すると（図２のモータ７の回転による）、ドア１９に固定されたドアシャフト１９ａ，１９ｂがスライドカム１８のカム溝１８ａ，１８ｂによって押し出されてシャーシ２に形成された溝２ａ，溝２ｂに沿って案内され、ドア１９は装置の前方向に移動する。この状態においてもディスクホルダー６は図１のＡの位置にある（ホルダー駆動手段４が回転しない）。
【００１８】
図３（ｃ）は、図２のモータ７が回転し、スライドカム１８がさらに、上方向に移動し、カム溝１８ａによって、ドアシャフト１９ａが本体１の前方向に押し出され、ドアシャフト１９ｂはスライドカム１８のカム溝１８ｂのストレート部（図で下方方向）に入り前方向への移動は停止する。ドア１９全体が仮想回転軸Ｐを中心に（ピボット点があるが如く）回動する構成になっている。すなわち、前記光ディスク挿入手段および前記光ディスク搬送手段を前記本体前方に回動させるときに、図３（ａ）に示すドアシャフト１９ｂの点ではなく、図３（ｃ）に示すＰ点で回動させ、すなわち本体前方に設定される仮想回転軸Ｐを中心として回動するようにしている。この動作の間（図３（ｂ）→（ｃ）の動作の間）、図１に示すモータ７が回転し、ドア１９の前面と並行な位置に取り付けられたディスクホルダー６が図１のＡの位置からＢの位置まで移動する。これにより、ディスクホルダー６に保持されたディスク３は本体前方に傾斜した状態で搬送され図１のように本体１の上部から排出される。また、ディスク３を装置に挿入し再生する場合は、以上に示した動作と逆の動作をする。
【００１９】
図４において、ドア１９（光ディスク挿入手段３４）、光ディスク搬送手段（上下移動）３５（ディスクホルダー６）および挿入口３０を備え、ドア１９である光ディスク挿入手段３４に光ディスク３を挿入口３０から挿入する際、または、光ディスク３を挿入口３０から取り出す際、光ディスク３を掴む使用者の手３１の指３２は、カセットテープのカセット挿入方法と異なって開口部３３に入る必要はなく、ドア１９の開口角度θを小さくすることができる。θは、本体１の前面と光ディスク３の光ディスク記録面３６とで形成される角度である。
【００２０】
ドア１９の開口角度θが小さくなるので塵芥が装置に入りづらくなり、故障の原因を低減することになる。また、使用者の手３１は、光ディスク記録面３６に接触することなく、図４のように、光ディスク３を印刷面側から掴み、上方から挿入口３０に挿入できるので、誤って光ディスク３の光ディスク記録面３６に指３２が触れ、光ディスク記録面３６に指紋や傷を付けてしまうということをなくすことができる。
【００２１】
さらに、開口角度θを小さくすることによって装置の小型化，薄型化を図ることができる。また、光ディスク３を挿入する場合の挿入口３０を視認でき、光ディスクの挿入や取り出しを容易に行うことができる。
【００２２】
【発明の効果】
本発明によれば、光ディスクを挿入する光ディスク挿入手段は、光ディスク挿入手段が下部を回転軸として前方に倒れ、その後、傾斜した状態で光ディスク搬送手段が上下方向に移動するため、光ディスクを挿入するまたは取り出す際に、光ディスクの記録面が挿入口に接触しにくく、記録面に傷がつくことを防止することができる。
【００２３】
また、図４に示したように、使用者は、光ディスクの印刷面側から光ディスクを掴んで、光ディスクを挿入したり、取り出したりすることができるので、誤って光ディスクの記録面に指紋や傷を付けることを防止することができる。
【００２４】
さらに、光ディスク挿入手段が前方に倒れた状態で光ディスクを挿入したり取り出したりするので、装置が壁の高い位置にある場合、光ディスクの挿入口を視認でき、光ディスクの挿入や取り出しを容易に行うことができる。
【００２５】
また、光ディスクを挿入する光ディスク挿入手段が、本体前方へ移動し、その後、本体前面の位置にある仮想回転軸Ｐを回転軸として回動する構成としたため、光ディスク再生装置の厚みを極力薄くしても光ディスク挿入手段を閉じた状態で本体前面の位置と光ディスク挿入手段の前面の位置を一致させることができ、かつ、光ディスク挿入手段の下部と本体前面の間の隙間を小さく、あるいは隙間のない構造として、形成することができる。
【００２６】
さらに、光ディスク挿入手段が閉じた状態では、挿入口が本体内に入り込むため、挿入口の開閉手段を設けることなく、挿入口からの塵芥の侵入を防止することができる。
【００２７】
さらに、光ディスク挿入手段を開閉する動作が、ユニークな動作であるため、ユーザの購買意欲を高めることができる。
【図面の簡単な説明】
【図１】本発明のローディング機構を示す正面図である。
【図２】本発明の移動手段と回動手段の駆動系を示す裏面図である。
【図３】本発明の動作を示す要部側面図である。
【図４】本発明の操作例図である。
【符号の説明】
１…本体、２…シャーシ、３…光ディスク、４…ホルダー駆動手段、５…ディスク再生手段、６…ディスクホルダー、１８…スライドカム、１８ａ，１８ｂ，１８ｃ…カム溝、１９…ドア（光ディスク蓋）、１９ａ，１９ｂ…ドアシャフト、３０…挿入口。
【図１】
0003884644.tif 000002
【図２】
0003884644.tif 000003
【図３】
0003884644.tif 000004
【図４】
0003884644.tif 000005